(57)【要約】【課題】同じ動きの反復によって継続的な動きを知覚させる映像のちらつきを低減させる。【解決手段】第１時間区間に属する複数の第１画像のそれぞれに含まれた一部の成分を反転させた、第１時間区間の後に続く第２時間区間に属する複数の第２画像を得、第１画像および第２画像を含む映像を得る。ただし、当該一部の成分は、主に輝度成分、高空間周波数成分、および動き成分の少なくとも何れかを含む。【選択図】図１
2018180753.tif 000002
【特許請求の範囲】
【請求項１】
同じ動きの反復によって継続的な動きを知覚させる映像を生成する映像生成装置であって、
第１時間区間に属する複数の第１画像のそれぞれに含まれた一部の成分を反転させた、前記第１時間区間の後に続く第２時間区間に属する複数の第２画像を得る画像生成部と、
前記第１画像および前記第２画像を含む前記映像を得る映像構成部と、を有し、
前記一部の成分は、主に輝度成分、高空間周波数成分、および動き成分の少なくとも何れかを含む、映像生成装置。
【請求項２】
同じ動きの反復によって継続的な動きを知覚させる映像を生成する映像生成装置であって、
対象に基づく対象画像を得る対象画像生成部と、
前記対象画像を変形および／または動かした処理画像を得る画像処理部と、
前記対象に含まれた一部の成分を反転させつつ強度を高めた画像、および前記対象を変形および／または動かした画像に含まれた一部の成分を反転させつつ強度を高めた画像、を含む複数の第２画像を得る画像生成部と、
少なくとも前記処理画像を含む第１画像を第１時間区間に属する画像とし、前記第２画像を前記第１時間区間の後に続く第２時間区間に属する画像とした映像を得る映像構成部と、を有し、
前記一部の成分は、主に輝度成分、高空間周波数成分、および動き成分の少なくとも何れかを含み、
前記映像は、主に輝度運動成分を含む、映像生成装置。
【請求項３】
請求項１または２の映像生成装置であって、
前記一部の成分は、輝度成分および／または高空間周波数成分および／または動き成分のみを含む、映像生成装置。
【請求項４】
請求項１から３の何れかの映像生成装置であって、
前記一部の成分は、主に輝度成分を含む、映像生成装置。
【請求項５】
請求項１から４のいずれかの映像生成装置であって、
前記一部の成分は、主に輝度成分の高空間周波数成分を含む、映像生成装置。
【請求項６】
請求項１から４のいずれかの映像生成装置であって、
前記一部の成分は、主に輝度成分の動き成分を含む、映像生成装置。
【請求項７】
請求項１から４のいずれかの映像生成装置であって、
前記一部の成分は、主に輝度成分の高空間周波数成分の動き成分を含む、映像生成装置。
【請求項８】
請求項１、３から７の何れかの映像生成装置であって、
ｎが４以上の偶数であり、ｉが１以上ｎ／２以下の整数であり、
前記第１画像は、時系列に沿った第１フレームの画像から第ｎ／２フレームの画像を含み、
前記第２画像は、時系列に沿った第｛（ｎ／２）＋１｝フレームの画像から第ｎフレームの画像を含み、
前記画像生成部は、前記第ｉフレームの画像に含まれた前記一部の成分を反転させた前記第｛（ｎ／２）＋ｉ｝フレームの画像を得る、映像生成装置。
【請求項９】
請求項８の映像生成装置であって、
前記第１フレームの画像から前記第ｎ／２フレームの画像を時系列に並べて得られる部分映像は、略直線方向に移動する物体の動きを表す、映像生成装置。
【請求項１０】
請求項８または９の映像生成装置であって、
ｎが６以上である、映像生成装置。
【請求項１１】
請求項１、３から９の何れかの映像生成装置であって、
前記第１時間区間は、第１フレームおよび前記第１フレームの後に続く第２フレームを含み、
前記第２時間区間は、前記第２フレームの後に続く第３フレームおよび前記第３フレームの後に続く第４フレームを含み、
前記第１画像は、前記第１フレームの画像および第２フレームの画像を含み、
前記第２画像は、前記第３フレームの画像および第４フレームの画像を含み、
前記画像生成部は、前記第１フレームの画像に含まれた前記一部の成分を反転させた前記第３フレームの画像を得、前記第２フレームの画像に含まれた前記一部の成分を反転させた前記第４フレームの画像を得る、映像生成装置。
【請求項１２】
同じ動きの反復によって継続的な動きを知覚させる映像を提示する映像提示装置であって、
第１時間区間で複数の第１画像を提示する処理と、前記第１時間区間の後に続く第２時間区間で複数の第２画像を提示する処理と、を繰り返し、
複数の前記第２画像のそれぞれは、複数の前記第１画像のそれぞれに含まれた一部の成分を反転させたものであり、
前記一部の成分は、主に輝度成分、高空間周波数成分、および動き成分の少なくとも何れかを含む、映像提示装置。
【請求項１３】
同じ動きの反復によって継続的な動きを知覚させる映像を生成する映像生成方法であって、
画像生成部において、第１時間区間に属する複数の第１画像のそれぞれに含まれた一部の成分を反転させた、前記第１時間区間の後に続く第２時間区間に属する複数の第２画像を得る画像生成ステップと、
映像構成部において、前記第１画像および前記第２画像を含む前記映像を得る映像構成ステップと、を有し、
前記一部の成分は、主に輝度成分、高空間周波数成分、および動き成分の少なくとも何れかを含む、映像生成方法。
【請求項１４】
同じ動きの反復によって継続的な動きを知覚させる映像を生成する映像生成方法であって、
対象画像生成部において、対象に基づく対象画像を得る対象画像生成ステップと、
画像処理部において、前記対象画像を変形および／または動かした処理画像を得る画像処理ステップと、
画像生成部において、前記対象に含まれた一部の成分を反転させつつ強度を高めた画像、および前記対象を変形および／または動かした画像に含まれた一部の成分を反転させつつ強度を高めた画像、を含む複数の第２画像を得る画像生成ステップと、
映像構成部において、少なくとも前記処理画像を含む第１画像を第１時間区間に属する画像とし、前記第２画像を前記第１時間区間の後に続く第２時間区間に属する画像とした映像を得る映像構成ステップと、を有し、
前記一部の成分は、主に輝度成分、高空間周波数成分、および動き成分の少なくとも何れかを含み、
前記映像は、主に輝度運動成分を含む、映像生成方法。
【請求項１５】
同じ動きの反復によって継続的な動きを知覚させる映像を提示する映像提示方法であって、
第１時間区間で複数の第１画像を提示する処理と、前記第１時間区間の後に続く第２時間区間で複数の第２画像を提示する処理と、を繰り返し、
複数の前記第２画像のそれぞれは、複数の前記第１画像のそれぞれに含まれた一部の成分を反転させたものであり、
前記一部の成分は、主に輝度成分、高空間周波数成分、および動き成分の少なくとも何れかを含む、映像提示方法。
【請求項１６】
同じ動きの反復によって継続的な動きを知覚させる映像のデータ構造であって、
第１時間区間に属する複数の第１画像と、前記複数の第１画像のそれぞれに含まれた一部の成分を反転させた前記第１時間区間の後に続く第２時間区間に属する複数の第２画像と、を有し、
前記一部の成分は、主に輝度成分、高空間周波数成分、および動き成分の少なくとも何れかを含み、
映像提示装置が前記第１時間区間で複数の前記第１画像のそれぞれを提示し、前記第２時間区間で複数の前記第２画像のそれぞれを提示するためのデータ構造。
【請求項１７】
請求項１から１１の何れかの映像生成装置または請求項１２の映像提示装置としてコンピュータを機能させるためのプログラム。
【発明の詳細な説明】
【技術分野】
【０００１】
本発明は、錯覚をもたらす映像に関し、特に、同じ動きの反復によって継続的な動きを知覚させる映像に関する。
【背景技術】
【０００２】
非特許文献１には、同じ動きの反復によって継続的な動きを知覚させる映像が開示されている。その映像は４フレームの画像から構成される。第１フレームおよび第１フレームの後に続く第２フレームの画像は通常のものであるが、第２フレームの後に続く第３フレームの画像は第１フレームの反転画像（ネガティブ画像）となっており、第３フレームの後に続く第４フレームの画像は第２フレームの反転画像となっている。この４フレームの画像を連続して繰り返し表示することで、あたかもフレーム内の映像が継続的に動き続けているような印象を与えることができる。
【先行技術文献】
【非特許文献】
【０００３】
【非特許文献１】Anstis, S. M. & Rogers, B. J., “Illusory continuous motion from oscillating positive-negative patterns: implications for motion perception,” Perception 15, 627-640 (1986).
【発明の概要】
【発明が解決しようとする課題】
【０００４】
ここで、第１フレームと第２フレームとの間、および第３フレームと第４フレームとの間の画像強度は連続的なものと知覚される。しかし、第２フレームと第３フレームとの間、および第４フレームと第１フレームとの間の強度は、強度反転のため急峻に変化しており、いわゆる、ちらつきとして感じられる。このちらつきは人間にとって快適なものではない。
【０００５】
本発明の目的は、同じ動きの反復によって継続的な動きを知覚させる映像のちらつきを低減させることである。
【課題を解決するための手段】
【０００６】
第１時間区間に属する複数の第１画像のそれぞれに含まれた一部の成分を反転させた、第１時間区間の後に続く第２時間区間に属する複数の第２画像を得、第１画像および第２画像を含む映像を得る。ただし、当該一部の成分は、主に輝度成分、高空間周波数成分、および動き成分の少なくとも何れかを含む。
【発明の効果】
【０００７】
これにより、同じ動きの反復によって継続的な動きを知覚させる映像のちらつきを低減させることができる。
【図面の簡単な説明】
【０００８】
【図１】図１は実施形態の映像生成装置の機能構成を例示したブロック図である。
【図２】図２は実施形態の画像を例示した図である。
【図３】図３は実施形態の画像を例示した図である。
【図４】図４は実施形態の画像を例示した図である。
【図５】図５は実施形態の映像生成装置の機能構成を例示したブロック図である。
【図６】図６は実施形態の映像生成装置の機能構成を例示したブロック図である。
【図７】図７は実施形態の映像生成装置の機能構成を例示したブロック図である。
【図８】図８は実施形態の映像生成装置の機能構成を例示したブロック図である。
【図９】図９は原理を説明するための図である。
【発明を実施するための形態】
【０００９】
以下、本発明の実施形態を説明する。
［概要］
まず概要を説明する。
各実施形態の映像生成装置は、「第１時間区間」に属する複数の「第１画像」のそれぞれに含まれた「一部の成分」を反転させた、「第１時間区間」の後に続く「第２時間区間」に属する複数の「第２画像」を得、複数の「第１画像」および「第２画像」を含む「映像」を得る。ただし、「一部の成分」は、主に輝度成分、高空間周波数成分、および動き成分の少なくとも何れかを含む。すなわち、「第１画像」のすべての画像強度を反転させるのではなく、「第１画像」の輝度成分、高空間周波数成分、および動き成分のいずれか、またはすべてを反転させた「第２画像」を得る。なお、複数の「第１画像」の「動き成分」は、動きをもつ空間領域の成分である。言い換えると、複数の「第１画像」の「動き成分」は、複数の「第１画像」の間で変化する空間領域である。「第２画像」は「第１画像」に含まれた「一部の成分」を反転して得られる成分と「第１画像」に含まれた「一部の成分」以外の成分とを含む。「αの後に続くβ」とは、時間的にαの後に続くβを意味する。βは時間的にαの次に位置する。また、複数の「第１画像」は互いに順序付けられており、複数の「第２画像」も互いに順序付けられている。順序付けられた複数の「第１画像」および「第２画像」を時間順に並べたものが「映像」である。以上のように生成された「映像」は同じ動きの反復によって継続的な動きを知覚させるものである。すなわち、「映像」が繰り返し再生された場合、複数の「第１画像」および「第２画像」が順番に繰り返し提示される。このように同じ動きが反復されているにもかかわらず、それを見た観察者は同じ動きが反復されているのではなく、「映像」中の物体が継続的に動き続けているような印象（例えば、滝の水が流れ落ち続けている印象、シャボン玉が一定方向に移動し続けている印象、落ち葉が風に飛ばされ続けている印象など）を受ける。さらに各実施形態では、従来技術のように「第１画像」全体の反転画像を「第２画像」とするのではなく、「第１画像」の「一部の成分」を反転させた「第２画像」を得る。これにより、「第１画像」全体の反転画像を「第２画像」とする従来技術に比べ、反転している成分が減じられ、「映像」のちらつきを低減させることができる。
【００１０】
好ましくは、「一部の成分」は輝度成分および／または高空間周波数成分および／または動き成分のみを含む。言い換えると、「一部の成分」は、輝度成分、高空間周波数成分、および動き成分を除く成分を含まない。これにより、より一層「映像」のちらつきを低減させることができる。より好ましくは、「第１画像」は色画像であり、「一部の成分」が主に輝度成分を含むことが望ましい。より一層好ましくは、「一部の成分」が輝度成分のみを含むことが望ましい。「映像」を繰り返し再生によって継続的な動きを知覚させることができるのは、再生される画像の強度を反転させることにより、視覚における動きセンサーを効率よく刺激するからである。例えば図９Ａでは、「第１フレーム」で白いバー、「第１フレーム」の後に続く「第２フレーム」で「第１フレーム」にある白いバーを少し右へずらしたもの、「第２フレーム」の後に続く「第３フレーム」で「第１フレーム」のバーの輝度を反転させたもの、「第３フレーム」の後に続く「第４フレーム」で「第２フレーム」バーの輝度を反転させたものを表示している。これを繰り返し見た観察者は一方向へバーが動いているような印象を得る。図９Ｂはバーの動きを時空間プロットしたものである。一般に人間の視覚における運動センサーは時空間プロット上の輝度の流れに対して敏感である（参考文献１：Adelson, E. H. & Bergen, J. R., “Spatiotemporal energy models for the perception of motion,” J Opt Soc Am A 2, 284-299 (1985).）。図９Ａのような輝度を反転させたバーの動きは当該運動センサーを効率よく刺激するので、観察者にはバーの動きが見えるのである。そのため、「第１画像」の主に輝度成分を反転させたものを「第２画像」とすることで継続的な動きを知覚させることができる。一方で「第１画像」の残りの成分は「第２画像」で反転されていないため、「映像」のちらつきを低減させることができる。
【００１１】
好ましくは、「一部の成分」は、主に輝度成分の高空間周波数成分を含むことが望ましい。より一層好ましくは、「一部の成分」が輝度成分の高空間周波数成分のみを含むことが望ましい。「第１画像」の高空間周波数成分は「第１画像」に表された物体の動きへの貢献度が高い成分であり、この成分を反転させることで視覚における運動センサーを効率よく刺激できるからである。また、本来「映像」の「動き成分」以外の成分は変化しないことが望ましい。そのため、「一部の成分」が主に輝度成分の動き成分を含んでもよく、「一部の成分」が輝度成分の動き成分のみを含んでもよい。より好ましくは、「一部の成分」が主に輝度成分の高空間周波数成分の動き成分を含むことが望ましく、より一層好ましくは、「一部の成分」が輝度成分の高空間周波数成分の動き成分のみを含むことが望ましい。
【００１２】
なお、「第１時間区間」に複数の「第１画像」が属し、「第２時間区間」に複数の「第２画像」が属するのであれば、「第１時間区間」に属する「第１画像」の個数、および「第２時間区間」に属する「第２画像」の個数に限定はない。言い換えると、「第１時間区間」に属する「第１画像」のフレーム数、および「第２時間区間」に属する「第２画像」のフレーム数に限定はない。「第１時間区間」に属する「第１画像」の個数と「第２時間区間」に属する「第２画像」の個数が互いに同一または近似する場合（すなわち、第１時間区間」に属する「第１画像」のフレーム数と「第２時間区間」に属する「第２画像」のフレーム数とが互いに同一または近似する場合）、観察者に滑らかで継続的な動きの印象を与えることができる。「αとβとが互いに近似する」とは、αに対するαとβとの差分｜α−β｜の割合γ＝｜α−β｜／α、またはβに対する差分｜α−β｜の割合γ＝｜α−β｜／βが、０≦γ≦δを満たすことを意味する。ただし、δは所定の正値である。δの例は０．３、０．２、０．１、０．０５、０．０３などである。一方、「第１時間区間」に属する「第１画像」の個数と「第２時間区間」に属する「第２画像」の個数が互いに同一でもないし近似もしない場合、観察者に特別な視覚的効果を与えることができる。
【００１３】
例えば、ｎが４以上の偶数であり、ｉが１以上ｎ／２以下の整数であり、複数の「第１画像」は、時系列に沿った「第１フレーム」の画像から「第ｎ／２フレーム」の画像を含み、複数の「第２画像」は、時系列に沿った「第｛（ｎ／２）＋１｝フレーム」の画像から「第ｎフレーム」の画像を含み、映像生成装置は「第ｉフレーム」の画像に含まれた「一部の成分」を反転させた「第｛（ｎ／２）＋ｉ｝フレーム」の画像を得る。ただし、「第（ｊ＋１）フレーム」（ｊは正整数）は時間的に「第ｊフレーム」の後に続くフレームである。「第１フレーム」の画像から「第ｎ／２フレーム」の画像を時系列に並べて得られる部分映像は、略直線方向（例えば、直線方向）に移動する物体の動きを表すものであることが望ましい。これにより、継続的な動きを十分に知覚させる「映像」を生成できる。ｎ＝４であれば必ずこの要件が満たされる。なお、ｎ＝４の場合、「第１時間区間」は、「第１フレーム」および「第１フレーム」の後に続く「第２フレーム」を含み、「第２時間区間」は、「第２フレーム」の後に続く「第３フレーム」および「第３フレーム」の後に続く「第４フレーム」を含み、複数の「第１画像」は、「第１フレーム」の画像および「第２フレーム」の画像を含み、複数の「第２画像」は、「第３フレーム」の画像および「第４フレーム」の画像を含み、映像生成装置は「第１フレーム」の画像に含まれた「一部の成分」を反転させた「第３フレーム」の画像を得、「第２フレーム」の画像に含まれた「一部の成分」を反転させた「第４フレーム」の画像を得る。ｎが６以上の場合には、ｎ＝４の場合に比べて、ぬるぬるとした動きの印象を与えることができたり、滑らかな動きの印象を与えることができたり、多様な動きの印象を与えることができたりする「映像」を生成できる。ｎが４の倍数であってもよい。
【００１４】
上述した「映像」のデータ構造が提供されてもよい。このデータ構造は、「第１時間区間」に属する複数の「第１画像」と、複数の「第１画像」のそれぞれに含まれた「一部の成分」を反転させた、「第１時間区間」の後に続く「第２時間区間」に属する複数の「第２画像」と、を有する。「映像」のデータ構造が入力された映像提示装置は、「第１時間区間」で複数の「第１画像」のそれぞれを提示し、「第２時間区間」で複数の「第２画像」のそれぞれを提示する。提示された「第１画像」および「第２画像」から構成される「映像」を見た観察者は継続的な動きを知覚する。
【００１５】
さらに、映像生成装置が、「対象」に基づく「対象画像」を得、「対象画像」を変形および／または動かした「処理画像」を得、「対象」に含まれた「一部の成分」を反転させつつ強度を高めた画像、および「対象」を変形および／または動かした画像に含まれた一部の成分を反転させつつ強度を高めた画像、を含む複数の「第２画像」を得、少なくとも「処理画像」を含む「第１画像」を「第１時間区間」に属する画像とし、「第２画像」を「第１時間区間」の後に続く「第２時間区間」に属する画像とした「映像」を得てもよい。ただし、「映像」は主に輝度運動成分を含む。より好ましくは、「映像」が輝度運動成分のみを含むことが望ましい。「対象」は、立体的形状を備える物（例えば、花瓶、ボール、模型）であってもよいし、所定の平面（例えば、紙、ボード、壁、スクリーン）であってもよい。「対象」が平面である場合には、その平面にパターンが含まれることが望ましい。平面に含まれるパターンの例として、例えば、紙に印刷した写真、画像、所定の平面に投影した写真、画像が考えられる。「対象」をディスプレイなどの画面とした場合には、パターンの例として、ディスプレイなどの画面に表示した画像などが挙げられる。「対象画像」の例は、「対象」を撮影して得られる画像、「対象」をスキャンして得られる画像、「対象」を描画して得られる画像、「対象」の画像データを複製して得られる画像、そのような画像の輝度成分からなる画像、さらにこの輝度成分の高空間周波数成分などである。このように得られた「映像」を「対象」に重畳させた様子を見た観察者は、実際には動いていない「対象」が継続的に動いているように知覚する。
【００１６】
［第１実施形態］
第１実施形態では、映像生成装置が「第１画像」に含まれた輝度成分の高空間周波数成分を反転させて「第２画像」を得、４フレームからなる「映像」を生成する。
【００１７】
＜構成＞
図１に例示するように、本形態の映像生成装置１は、入力部１０１、記憶部１０２、画像抽出部１０３、画像生成部１０４、および映像構成部１０５を有する。画像生成部１０４は、成分分離部１０４１、低域フィルタリング部１０４２、高域フィルタリング部１０４３、反転部１０４４、および合成部１０４５を有する。
【００１８】
＜処理＞
次に本形態の処理を説明する。
≪入力映像ＭＩＮの入力≫
映像生成装置１（図１）の入力部１０１に、２つ以上のフレーム（映像フレーム）から構成される任意の入力映像ＭＩＮが入力される。本形態の入力映像ＭＩＮは色成分を含む色映像（動画）である。
【００１９】
≪画像抽出部１０３の処理≫
画像抽出部１０３は、記憶部１０２から読み出した入力映像ＭＩＮから連続する２フレームの画像を取り出し、それぞれを第１フレームの画像Ｐ１（第１画像）、第２フレームの画像Ｐ２（第１画像）として出力する。ただし、第２フレームは時間的に第１フレームの後に続くフレームである。画像Ｐｉ（ただし、ｉ＝１，２）は色空間を構成する各チャネルにおける二次元配列の集合であり、各チャネルにおける二次元配列は当該チャネルの座標（ｘ，ｙ）における画素値（強度）Ｐｉ（ｘ，ｙ）を要素とするものである。ただし、ｘはｘｍｉｎ≦ｘ≦ｘｍａｘを満たし、ｙはｙｍｉｎ≦ｙ≦ｙｍａｘを満たし、ｘｍｉｎは画像Ｐｉのｘ座標の最小値であり、ｘｍａｘは画像Ｐｉのｘ座標の最大値であり、ｙｍｉｎは画像Ｐｉのｙ座標の最小値であり、ｙｍａｘは画像Ｐｉのｙ座標の最大値である。例えば、ＲＧＢ色空間の場合、画像ＰｉはＲＧＢの３チャネルの上記二次元配列の集合である。
【００２０】
≪画像生成部１０４の処理≫
画像生成部１０４は、「第１時間区間」に属する第１フレームの画像Ｐ１および第２フレームの画像Ｐ２のそれぞれに含まれた一部の成分を反転させて、「第２時間区間」に属する第３フレームの画像Ｐ３（第２画像）および第４フレームの画像Ｐ４（第２画像）を得て出力する。すなわち、画像生成部１０４は、画像Ｐ１に含まれた一部の成分を反転させて画像Ｐ３を得、画像Ｐ２に含まれた一部の成分を反転させて画像Ｐ４を得る。ただし、第４フレームは時間的に第３フレームの後に続くフレームである。
【００２１】
まず、成分分離部１０４１は、各第ｉフレーム（ただし、ｉ＝１，２）の画像Ｐｉを入力とし、画像Ｐｉを色成分Ｃｉと輝度成分Ｙｉに分離して出力する（図２Ａ）。画像ＰｉがＲＧＢチャンネルそれぞれの画素値で表現されている場合、成分分離部１０４１は、それをＬＡＢやＹｘｙといった色成分Ｃｉと輝度成分Ｙｉとの分離可能な表現へ置き換え、色成分Ｃｉと輝度成分Ｙｉを得て出力する。色成分Ｃｉは、色成分を構成する各チャネルにおける二次元配列の集合であり、各チャネルにおける二次元配列は当該チャネルの座標（ｘ，ｙ）における画素値Ｃｉ（ｘ，ｙ）を要素とする。輝度成分Ｙｉは、輝度成分を表すチャネルでの座標（ｘ，ｙ）の画素値Ｃｉ（ｘ，ｙ）を要素とする二次元配列である。
【００２２】
各第ｉフレーム（ただし、ｉ＝１，２）の輝度成分Ｙｉは低域フィルタリング部１０４２および高域フィルタリング部１０４３に入力される。低域フィルタリング部１０４２は、入力された輝度成分Ｙｉに低域通過型フィルタＬＦを適用して輝度成分Ｙｉの低空間周波数成分ＬＹｉ（低空間周波数画像）を得て出力する（ＬＹｉ＝ＬＦ・Ｙｉ）。高域フィルタリング部１０４３は、入力された輝度成分Ｙｉに高域通過型フィルタＨＦを適用して輝度成分Ｙｉの高空間周波数成分ＨＹｉ（高空間周波数画像）を得て出力する（ＨＹｉ＝ＨＦ・Ｙｉ）（図２Ｂ）。なお、低域通過型フィルタＬＦは、絶対値がカットオフ周波数ｆＬＦ以下である低空間周波数成分を通過させ、カットオフ周波数ｆＬＦを超える高空間周波数成分を抑圧する空間周波数操作用のフィルタである。高域通過型フィルタＨＦは、絶対値がカットオフ周波数ｆＨＦ以上である高空間周波数成分を通過させ、カットオフ周波数ｆＨＦ未満である低空間周波数成分を抑圧する空間周波数操作用のフィルタである。ここで、画像Ｐ１，Ｐ２における空間周波数の振幅を保ち、画像Ｐ１，Ｐ２の見え方を画像Ｐ３，Ｐ４でも保つために、両フィルタのカットオフ周波数ｆＬＦ，ｆＨＦを互いに等しくすることが望ましい。一方で、画像Ｐ１，Ｐ２の見え方を画像Ｐ３，Ｐ４でも保つことができれば、必ずしもカットオフ周波数ｆＬＦ，ｆＨＦを互いに等しくする必要はない。カットオフ周波数ｆＬＦ，ｆＨＦは、観察者の視力、画像の大きさ、観察距離、観察者の好みにより調整する。カットオフ周波数ｆＬＦ，ｆＨＦを３ｃｐｄ（cycles per degree）といった低い値に設定すると、観察者の視力が低くても／画像が小さくても／観察距離が大きくても本手法の効果が見られるが、カットオフ周波数ｆＬＦ，ｆＨＦを例えば９ｃｐｄなどといった高い値に設定すると、観察者の視力が高いとき／画像が大きいとき／観察距離が小さいときのみに本手法の効果が見られる。低空間周波数成分ＬＹｉは、座標（ｘ，ｙ）の画素値ＬＹｉ（ｘ，ｙ）を要素とする二次元配列である。高空間周波数成分ＨＹｉは、座標（ｘ，ｙ）の画素値ＨＹｉ（ｘ，ｙ）を要素とする二次元配列である。
【００２３】
各第ｉフレーム（ただし、ｉ＝１，２）の高空間周波数成分ＨＹｉは反転部１０４４に入力される。反転部１０４４は、入力された高空間周波数成分ＨＹｉの画素値ＨＹｉ（ｘ，ｙ）を反転して反転高空間周波数成分ＲＨＹｉを得て出力する。反転高空間周波数成分ＲＨＹｉは、座標（ｘ，ｙ）の画素値ＲＨＹｉ（ｘ，ｙ）を要素とする二次元配列である（図３）。例えば、反転部１０４４は、高空間周波数成分ＨＹｉから、高空間周波数成分ＨＹｉの画素値ＨＹｉ（ｘ，ｙ）（ただし、ｘｍｉｎ≦ｘ≦ｘｍａｘかつｙｍｉｎ≦ｙ≦ｙｍａｘ）の平均値ＭＨＹｉを減じ、その減算結果ＨＹｉ−ＭＨＹｉの正負符号を反転させた後、再度、平均値ＭＨＹｉ加えたものを反転高空間周波数成分ＲＨＹｉとして出力する。
ＲＨＹｉ＝−（ＨＹｉ−ＭＨＹｉ）＋ＭＨＹｉ
ＲＨＹｉは、座標（ｘ，ｙ）の画素値ＲＨＹｉ（ｘ，ｙ）を要素とする二次元配列である。
【００２４】
各第ｉフレーム（ただし、ｉ＝１，２）の色成分Ｃｉ、低空間周波数成分ＬＹｉ、および反転高空間周波数成分ＲＨＹｉは、合成部１０４５に入力される。合成部１０４５は、色成分Ｃ１、低空間周波数成分ＬＹ１、および反転高空間周波数成分ＲＨＹ１を足し合わせたものを第３フレームの画像Ｐ３として得て出力する（Ｐ３＝Ｃ１＋ＬＹ１＋ＲＨＹ１）。また合成部１０４５は、色成分Ｃ２、低空間周波数成分ＬＹ２、および反転高空間周波数成分ＲＨＹ２を足し合わせたものを第４フレームの画像Ｐ４として得て出力する（Ｐ４＝Ｃ２＋ＬＹ２＋ＲＨＹ２）（図３）。
【００２５】
≪映像構成部１０５の処理≫
映像構成部１０５は、第１，２，３，４フレームの画像Ｐ１，Ｐ２，Ｐ３，Ｐ４を入力とし、画像Ｐ１，Ｐ２，Ｐ３，Ｐ４を時間的に並べることでこれらを含む映像ＭＯＵＴを得て出力する。なお、各第ｉフレーム（ただし、ｉ＝１，２，３，４）の画像Ｐｉの提示時間は、映像ＭＯＵＴが静止画の系列ではなく動画像として認識可能なように調整される。この範囲であればフレームレートは固定であっても可変であってもよい。
【００２６】
以上のように得られた映像ＭＯＵＴは映像提示装置１５０に入力され、映像提示装置１５０は映像ＭＯＵＴを繰り返し再生する。すなわち、映像提示装置１５０は、第１時間区間で複数の画像Ｐ１，Ｐ２（第１画像）を提示する処理と、第１時間区間の後に続く第２時間区間で複数の画像Ｐ３，Ｐ４（複数の第１画像のそれぞれに含まれた一部の成分を反転させた第２画像）を提示する処理と、を繰り返す。つまり、映像提示装置１５０は以下の処理を行う。
ステップＳ１：映像提示装置１５０は画像Ｐ１を再生し、ステップＳ２に進む。
ステップＳ２：映像提示装置１５０は画像Ｐ２を再生し、ステップＳ３に進む。
ステップＳ３：映像提示装置１５０は画像Ｐ３を再生し、ステップＳ４に進む。
ステップＳ４：映像提示装置１５０は画像Ｐ４を再生し、ステップＳ１に進む。
これにより、再生された映像ＭＯＵＴを見た観察者は継続的な動きを知覚する。また、画像Ｐ３は画像Ｐ１の輝度成分の高空間周波数成分を反転させたものであり、画像Ｐ４は画像Ｐ２の輝度成分の高空間周波数成分を反転させたものであるため、画像Ｐ１と画像Ｐ３との間、および、画像Ｐ１と画像Ｐ３との間での色味の変化は小さい。その結果、画像Ｐ２と画像Ｐ３との間での強度の変化、および、画像Ｐ４と画像Ｐ１との間での強度の変化を抑えることができ、ちらつきの少ない連続した動きを観察者に与えることができる。
【００２７】
［第１実施形態の変形例１］
第１実施形態では、画像Ｐ１およびＰ２の輝度成分の高空間周波数成分を反転させたものを画像Ｐ３およびＰ４とした。しかし、画像Ｐ１およびＰ２の輝度成分全体を反転させたものを画像Ｐ３およびＰ４としてもよい。以下では、既に説明した事項との相違点を中心に説明し、既に説明した事項については同じ参照番号を引用して説明を簡略化する。
【００２８】
＜構成＞
図５に例示するように、本変形例の映像生成装置１’は、入力部１０１、記憶部１０２、画像抽出部１０３、画像生成部１０４’、および映像構成部１０５を有する。画像生成部１０４’は、成分分離部１０４１、反転部１０４４’、および合成部１０４５’を有する。
【００２９】
＜処理＞
第１実施形態との相違点は、前述した≪画像生成部１０４の処理≫に代えて、以下の≪画像生成部１０４’の処理≫が実行される点である。この相違点のみを説明する。
【００３０】
≪画像生成部１０４’の処理≫
画像生成部１０４’は、画像Ｐ１に含まれた「一部の成分」である輝度成分全体を反転させて画像Ｐ３を得、画像Ｐ２に含まれた「一部の成分」である輝度成分全体を反転させて画像Ｐ４を得る。
【００３１】
まず成分分離部１０４１は、各第ｉフレーム（ただし、ｉ＝１，２）の画像Ｐｉを入力とし、画像Ｐｉを色成分Ｃｉと輝度成分Ｙｉに分離して出力する（図２Ａ）。
【００３２】
各第ｉフレーム（ただし、ｉ＝１，２）の輝度成分Ｙｉは反転部１０４４’に入力される。反転部１０４４’は、入力された輝度成分Ｙｉの画素値Ｙｉ（ｘ，ｙ）を反転して反転輝度成分ＲＹｉを得て出力する。反転輝度成分ＲＹｉは、座標（ｘ，ｙ）の画素値ＲＹｉ（ｘ，ｙ）を要素とする二次元配列である。例えば、反転部１０４４’は、輝度成分Ｙｉから、輝度成分Ｙｉの画素値Ｙｉ（ｘ，ｙ）（ただし、ｘｍｉｎ≦ｘ≦ｘｍａｘかつｙｍｉｎ≦ｙ≦ｙｍａｘ）の平均値ＭＹｉを減じ、その減算結果Ｙｉ−ＭＹｉの正負符号を反転させた後、再度、平均値ＭＹｉ加えたものを反転輝度成分ＲＹｉとして出力する。
ＲＹｉ＝−（Ｙｉ−ＭＹｉ）＋ＭＹｉ
ＲＹｉは、座標（ｘ，ｙ）の画素値ＲＹｉ（ｘ，ｙ）を要素とする二次元配列である。
【００３３】
各第ｉフレーム（ただし、ｉ＝１，２）の色成分Ｃｉ、および反転輝度成分ＲＹｉは、合成部１０４５’に入力される。合成部１０４５’は、色成分Ｃ１、および反転輝度成分ＲＹ１を足し合わせたものを第３フレームの画像Ｐ３として得て出力する（Ｐ３＝Ｃ１＋ＲＹ１）。また合成部１０４５’は、色成分Ｃ２、および反転輝度成分ＲＹ２を足し合わせたものを第４フレームの画像Ｐ４として得て出力する（Ｐ４＝Ｃ２＋ＲＹ２）。
【００３４】
以降の処理は第１実施形態と同じである。これによっても、ちらつきの少ない連続した動きを観察者に与える映像ＭＯＵＴを生成できる。
【００３５】
［第１実施形態の変形例２］
第１実施形態では、画像Ｐ１およびＰ２の輝度成分の高空間周波数成分を反転させたものを画像Ｐ３およびＰ４とした。しかし、画像Ｐ１およびＰ２全体の高空間周波数成分を反転させたものを画像Ｐ３およびＰ４としてもよい。すなわち、画像Ｐ１およびＰ２の輝度成分の高空間周波数成分だけではなく、色成分の高空間周波数成分をも反転させて、画像Ｐ３およびＰ４を得てもよい。
【００３６】
＜構成＞
図６に例示するように、本変形例の映像生成装置１”は、入力部１０１、記憶部１０２、画像抽出部１０３、画像生成部１０４”、および映像構成部１０５を有する。画像生成部１０４”は、低域フィルタリング部１０４２”、高域フィルタリング部１０４３”、反転部１０４４”、および合成部１０４５”を有する。
【００３７】
＜処理＞
第１実施形態との相違点は、前述した≪画像生成部１０４の処理≫に代えて、以下の≪画像生成部１０４”の処理≫が実行される点である。この相違点のみを説明する。
【００３８】
≪画像生成部１０４”の処理≫
画像生成部１０４”は、画像Ｐ１に含まれた「一部の成分」である高空間周波数成分を反転させて画像Ｐ３を得、画像Ｐ２に含まれた「一部の成分」である高空間周波数成分を反転させて画像Ｐ４を得る。
【００３９】
各第ｉフレーム（ただし、ｉ＝１，２）の画像Ｐｉは低域フィルタリング部１０４２”および高域フィルタリング部１０４３”に入力される。低域フィルタリング部１０４２”は、入力された画像Ｐｉに低域通過型フィルタＬＦを適用して画像Ｐｉの低空間周波数成分ＬＰｉ（低空間周波数画像）を得て出力する（ＬＰｉ＝ＬＦ・Ｐｉ）。高域フィルタリング部１０４３”は、入力された画像Ｐｉに高域通過型フィルタＨＦを適用して画像Ｐｉの高空間周波数成分ＨＰｉ（高空間周波数画像）を得て出力する（ＨＰｉ＝ＨＦ・Ｐｉ）。
【００４０】
各第ｉフレーム（ただし、ｉ＝１，２）の高空間周波数成分ＨＰｉは反転部１０４４”に入力される。反転部１０４４”は、入力された高空間周波数成分ＨＰｉの画素値ＨＰｉ（ｘ，ｙ）を反転して反転高空間周波数成分ＲＨＰｉを得て出力する。反転高空間周波数成分ＲＨＰｉは、座標（ｘ，ｙ）の画素値ＲＨＰｉ（ｘ，ｙ）を要素とする二次元配列である（図３）。例えば、反転部１０４４”は、高空間周波数成分ＨＰｉから、高空間周波数成分ＨＰｉの画素値ＨＰｉ（ｘ，ｙ）（ただし、ｘｍｉｎ≦ｘ≦ｘｍａｘかつｙｍｉｎ≦ｙ≦ｙｍａｘ）の平均値ＭＨＰｉを減じ、その減算結果ＨＰｉ−ＭＨＰｉの正負符号を反転させた後、再度、平均値ＭＨＰｉ加えたものを反転高空間周波数成分ＲＨＰｉとして出力する。
ＲＨＰｉ＝−（ＨＰｉ−ＭＨＰｉ）＋ＭＨＰｉ
ＲＨＰｉは、座標（ｘ，ｙ）の画素値ＲＨＰｉ（ｘ，ｙ）を要素とする二次元配列である。
【００４１】
各第ｉフレーム（ただし、ｉ＝１，２）の低空間周波数成分ＬＰｉ、および反転高空間周波数成分ＲＨＰｉは合成部１０４５”に入力される。合成部１０４５”は、低空間周波数成分ＬＰ１、および反転高空間周波数成分ＲＨＰ１を足し合わせたものを第３フレームの画像Ｐ３として得て出力する（Ｐ３＝ＬＰ１＋ＲＨＰ１）。また合成部１０４５”は、低空間周波数成分ＬＰ２、および反転高空間周波数成分ＲＨＰ２を足し合わせたものを第４フレームの画像Ｐ４として得て出力する（Ｐ４＝ＬＰ２＋ＲＨＰ２）。
【００４２】
以降の処理は第１実施形態と同じである。これによっても、ちらつきの少ない連続した動きを観察者に与える映像ＭＯＵＴを生成できる。
【００４３】
［第２実施形態］
第１実施形態では、画像Ｐ１およびＰ２の輝度成分の高空間周波数成分を反転させたものを画像Ｐ３およびＰ４とした。しかし、画像Ｐ１およびＰ２の輝度成分の高空間周波数成分の動き成分を反転させたものを画像Ｐ３およびＰ４としてもよい。これにより、ちらつきをより低減できる。
【００４４】
＜構成＞
図１に例示するように、本形態の映像生成装置２は、入力部１０１、記憶部１０２、画像抽出部１０３、画像生成部２０４、および映像構成部１０５を有する。画像生成部２０４は、成分分離部１０４１、低域フィルタリング部１０４２、高域フィルタリング部１０４３、反転部２０４４、および合成部１０４５を有する。
【００４５】
＜処理＞
第１実施形態との相違点は、前述した≪画像生成部１０４の処理≫に代えて、以下の≪画像生成部２０４の処理≫が実行される点である。この相違点のみを説明する。
【００４６】
≪画像生成部２０４の処理≫
まず、成分分離部１０４１は、各第ｉフレーム（ただし、ｉ＝１，２）の画像Ｐｉを入力とし、画像Ｐｉを色成分Ｃｉと輝度成分Ｙｉに分離して出力する。低域フィルタリング部１０４２は、入力された輝度成分Ｙｉに低域通過型フィルタＬＦを適用して輝度成分Ｙｉの低空間周波数成分ＬＹｉ（低空間周波数画像）を得て出力する（ＬＹｉ＝ＬＦ・Ｙｉ）。高域フィルタリング部１０４３は、入力された輝度成分Ｙｉに高域通過型フィルタＨＦを適用して輝度成分Ｙｉの高空間周波数成分ＨＹｉ（高空間周波数画像）を得て出力する（ＨＹｉ＝ＨＦ・Ｙｉ）。
【００４７】
各第ｉフレーム（ただし、ｉ＝１，２）の高空間周波数成分ＨＹｉは反転部２０４４に入力される。反転部２０４４は、入力された高空間周波数成分ＨＹｉの動き成分である高空間周波数動き成分ＨＭＹｉの画素値ＨＭＹｉ（ｘ，ｙ）を反転して反転高空間周波数成分ＲＨＭＹｉを得て出力する。反転高空間周波数成分ＲＨＭＹｉは、座標（ｘ，ｙ）の画素値ＲＨＭＹｉ（ｘ，ｙ）を要素とする二次元配列である。
【００４８】
反転部２０４４の処理を詳細に説明する。反転部２０４４が画素値ＨＭＹｉ（ｘ，ｙ）を反転させる空間領域は、第ｉフレーム（ただし、ｉ＝１，２）の高空間周波数成分ＨＹｉにおいて動き情報がある領域に限られる。すなわち、高空間周波数成分ＨＹ１とＨＭＹ２との間で動き情報のある領域のみの画素値ＨＭＹｉ（ｘ，ｙ）を反転させる。動き情報は高空間周波数成分ＨＹｉのオプティカルフロー（各画素の動きを表すベクトル）を計算することによって得られる。まず、反転部２０４４は、高空間周波数成分ＨＹｉのオプティカルフローを計算し、各座標（ｘ，ｙ）での動き量Ｖｉ（ｘ，ｙ）（オプティカルフローの大きさ）を得る。次に反転部２０４４は、動き量Ｖｉ（ｘ，ｙ）をフロー全体で標準化して各座標（ｘ，ｙ）の重みｎＶｉ（ｘ，ｙ）を得、重みｎＶｉ（ｘ，ｙ）を用いて高空間周波数成分ＨＹｉに空間的な重み付けを行って、画素値を反転させる領域を制限する。例えば、標準化は以下のように行われる。
ｎＶｉ（ｘ，ｙ）＝（Ｖｉ（ｘ，ｙ）−Ｖｍｉｎｉ）／（Ｖｍａｘｉ−Ｖｍｉｎｉ）  （１）
ただし、Ｖｍｉｎｉは第ｉフレームでの動き量Ｖｉ（ｘ，ｙ）の最小値であり、Ｖｍａｘｉは第ｉフレームでの動き量Ｖｉ（ｘ，ｙ）の最大値である。
【００４９】
反転させる領域を拡張または縮小する場合には、式（１）で得られたｎＶｉ（ｘ，ｙ）に対してさらに式（２）の処理を行って得られたものを重みｎＶｉ（ｘ，ｙ）としてもよい。
ｎＶｉ（ｘ，ｙ）：＝｛ｎＶｉ（ｘ，ｙ）｝１／ｋ  （２）
ただし、「α：＝β」はβを新たなαとすること（すなわち、βをαに代入すること）を意味する。ｋは正値のパラメータである。反転させる領域を拡張する場合にはｋ＞１とし、反転させる領域を縮小する場合には１＞ｋ＞０とし、反転させる領域を変化させない場合にはｋ＝１とする。
【００５０】
式（１）または式（２）で得られたｎＶｉ（ｘ，ｙ）を２値化したものを重みｎＶｉ（ｘ，ｙ）としてもよい。ｎＶｉ（ｘ，ｙ）を２値化は以下のように行われる。
もしｎＶｉ（ｘ，ｙ）≧ＴＨならばｎＶｉ（ｘ，ｙ）：＝１        （３）
もしｎＶｉ（ｘ，ｙ）＜ＴＨならばｎＶｉ（ｘ，ｙ）：＝０
ただし、ＴＨは正の閾値であり、例えばＴＨ＝０．５である。
【００５１】
式（３）によって２値化されたｎＶｉ（ｘ，ｙ）は明確なエッジを有しており、反転させる領域とそうでない領域とが明確に二分化され、視覚上不自然な印象を与えてしまう場合がある。そのため、式（３）によって２値化されたｎＶｉ（ｘ，ｙ）にガウシアンフィルタを適用して得られるものを重みｎＶｉ（ｘ，ｙ）としてもよい。ガウシアンフィルタの標準偏差は任意でよいが、標準偏差の大きさが大きくなるほど、動きを伴わない領域においても重みｎＶｉ（ｘ，ｙ）が正値となる確率が高くなる。
【００５２】
反転部２０４４は、以上のように得られる重みｎＶｉ（ｘ，ｙ）を用い、第ｉフレーム（ただし、ｉ＝１，２）の高空間周波数成分ＨＹｉの動き成分である高空間周波数動き成分ＨＭＹｉの画素値ＨＭＹｉ（ｘ，ｙ）を反転して反転高空間周波数成分ＲＨＭＹｉを得て出力する。すなわち、反転部２０４４は、第１実施形態で説明したように高空間周波数成分ＨＹｉの画素値ＨＹｉ（ｘ，ｙ）を反転して反転高空間周波数成分ＲＨＹｉを得、さらに以下のように反転高空間周波数成分ＲＨＭＹｉを得て出力する（図４）。
ＲＨＭＹｉ（ｘ，ｙ）：＝ＲＨＹｉ（ｘ，ｙ）×ｎＶｉ（ｘ，ｙ）＋ＨＹｉ（ｘ，ｙ）×（１−ｎＶｉ（ｘ，ｙ））
ただし、ＲＨＹｉ（ｘ，ｙ）×ｎＶｉ（ｘ，ｙ）は、高空間周波数動き成分ＨＭＹｉの画素値ＨＭＹｉ（ｘ，ｙ）を反転したものである。
【００５３】
各第ｉフレーム（ただし、ｉ＝１，２）の色成分Ｃｉ、低空間周波数成分ＬＹｉ、および反転高空間周波数成分ＲＨＭＹｉは、合成部１０４５に入力される。合成部１０４５は、色成分Ｃ１、低空間周波数成分ＬＹ１、および反転高空間周波数成分ＲＨＭＹ１を足し合わせたものを第３フレームの画像Ｐ３として得て出力する（Ｐ３＝Ｃ１＋ＬＹ１＋ＲＨＭＹ１）。また合成部１０４５は、色成分Ｃ２、低空間周波数成分ＬＹ２、および反転高空間周波数成分ＲＨＭＹ２を足し合わせたものを第４フレームの画像Ｐ４として得て出力する（Ｐ４＝Ｃ２＋ＬＹ２＋ＲＨＭＹ２）（図４）。
【００５４】
以降の処理は第１実施形態と同じである。これによっても連続した動きを観察者に与える映像ＭＯＵＴを生成できる。さらに本形態の映像ＭＯＵＴでは、もともと動き成分が含まれていなかった領域の輝度が反転しないため、観察者はよりちらつきの少ない、連続的な動きの含まれる映像を体験できる。
【００５５】
［第２実施形態の変形例１］
第２実施形態では、画像Ｐ１およびＰ２における輝度成分の高空間周波数成分の動き成分を反転させたものを画像Ｐ３およびＰ４とした。しかし、画像Ｐ１およびＰ２の輝度成分全体の動き成分を反転させたものを画像Ｐ３およびＰ４としてもよい。
【００５６】
＜構成＞
図５に例示するように、本変形例の映像生成装置２’は、入力部１０１、記憶部１０２、画像抽出部１０３、画像生成部２０４’、および映像構成部１０５を有する。画像生成部２０４’は、成分分離部１０４１、反転部２０４４’、および合成部１０４５’を有する。
【００５７】
＜処理＞
第２実施形態との相違点は、前述した≪画像生成部２０４の処理≫に代えて、以下の≪画像生成部２０４’の処理≫が実行される点である。この相違点のみを説明する。
【００５８】
≪画像生成部２０４’の処理≫
画像生成部２０４’は、画像Ｐ１に含まれた「一部の成分」である輝度成分全体の動き成分を反転させて画像Ｐ３を得、画像Ｐ２に含まれた「一部の成分」である輝度成分全体の動き成分を反転させて画像Ｐ４を得る。
【００５９】
まず成分分離部１０４１は、各第ｉフレーム（ただし、ｉ＝１，２）の画像Ｐｉを入力とし、画像Ｐｉを色成分Ｃｉと輝度成分Ｙｉに分離して出力する（図２Ａ）。
【００６０】
各第ｉフレーム（ただし、ｉ＝１，２）の輝度成分Ｙｉは反転部２０４４’に入力される。反転部２０４４’は、入力された輝度成分Ｙｉの動き成分である輝度動き成分ＭＹｉの画素値ＭＹｉ（ｘ，ｙ）を反転して反転輝度動きＲＭＹｉを得て出力する。この処理は、第２実施形態の反転部２０４４が行う処理の「高空間周波数成分ＨＹｉ」を「輝度成分Ｙｉ」に置換したものである。すなわち、反転部２０４４’は、第１実施形態の変形例１で説明したように輝度成分Ｙｉの画素値Ｙｉ（ｘ，ｙ）を反転して反転輝度成分ＲＹｉを得、さらに「高空間周波数成分ＨＹｉ」に代えて「輝度成分Ｙｉ」ついて重みｎＶｉ（ｘ，ｙ）を得、以下のように反転輝度成分ＲＭＹｉを得て出力する。
ＲＭＹｉ（ｘ，ｙ）：＝ＲＹｉ（ｘ，ｙ）×ｎＶｉ（ｘ，ｙ）＋Ｙｉ（ｘ，ｙ）×（１−ｎＶｉ（ｘ，ｙ））
ただし、反転輝度成分ＲＭＹｉは、座標（ｘ，ｙ）の画素値ＲＭＹｉ（ｘ，ｙ）を要素とする二次元配列である。ＲＹｉ（ｘ，ｙ）×ｎＶｉ（ｘ，ｙ）は、輝度成分Ｙｉの動き成分である輝度動き成分ＭＹｉの画素値ＭＹｉ（ｘ，ｙ）を反転したものである。
【００６１】
各第ｉフレーム（ただし、ｉ＝１，２）の色成分Ｃｉ、および反転輝度成分ＲＭＹｉは、合成部１０４５’に入力される。合成部１０４５’は、色成分Ｃ１、および反転輝度成分ＲＭＹ１を足し合わせたものを第３フレームの画像Ｐ３として得て出力する（Ｐ３＝Ｃ１＋ＲＭＹ１）。また合成部１０４５’は、色成分Ｃ２、および反転輝度成分ＲＭＹ２を足し合わせたものを第４フレームの画像Ｐ４として得て出力する（Ｐ４＝Ｃ２＋ＲＭＹ２）。
【００６２】
以降の処理は第２実施形態と同じである。これによっても、ちらつきの少ない連続した動きを観察者に与える映像ＭＯＵＴを生成できる。
【００６３】
［第２実施形態の変形例２］
第２実施形態では、画像Ｐ１およびＰ２における輝度成分の高空間周波数成分の動き成分を反転させたものを画像Ｐ３およびＰ４とした。しかし、画像Ｐ１およびＰ２全体の高空間周波数成分の動き成分を反転させたものを画像Ｐ３およびＰ４としてもよい。すなわち、画像Ｐ１およびＰ２の輝度成分の高空間周波数成分の動き成分だけではなく、色成分の高空間周波数成分の動き成分をも反転させて、画像Ｐ３およびＰ４を得てもよい。
【００６４】
＜構成＞
図６に例示するように、本変形例の映像生成装置２”は、入力部１０１、記憶部１０２、画像抽出部１０３、画像生成部２０４”、および映像構成部１０５を有する。画像生成部２０４”は、低域フィルタリング部１０４２”、高域フィルタリング部１０４３”、反転部２０４４”、および合成部１０４５”を有する。
【００６５】
＜処理＞
第２実施形態との相違点は、前述した≪画像生成部２０４の処理≫に代えて、以下の≪画像生成部２０４”の処理≫が実行される点である。この相違点のみを説明する。
【００６６】
≪画像生成部２０４”の処理≫
画像生成部２０４”は、画像Ｐ１に含まれた「一部の成分」である高空間周波数成分の動き成分を反転させて画像Ｐ３を得、画像Ｐ２に含まれた「一部の成分」である高空間周波数成分の動き成分を反転させて画像Ｐ４を得る。
【００６７】
各第ｉフレーム（ただし、ｉ＝１，２）の画像Ｐｉは低域フィルタリング部１０４２”および高域フィルタリング部１０４３”に入力される。低域フィルタリング部１０４２”は、入力された画像Ｐｉに低域通過型フィルタＬＦを適用して画像Ｐｉの低空間周波数成分ＬＰｉ（低空間周波数画像）を得て出力する（ＬＰｉ＝ＬＦ・Ｐｉ）。高域フィルタリング部１０４３”は、入力された画像Ｐｉに高域通過型フィルタＨＦを適用して画像Ｐｉの高空間周波数成分ＨＰｉ（高空間周波数画像）を得て出力する（ＨＰｉ＝ＨＦ・Ｐｉ）。
【００６８】
各第ｉフレーム（ただし、ｉ＝１，２）の高空間周波数成分ＨＰｉは反転部２０４４”に入力される。反転部２０４４”は、入力された高空間周波数成分ＨＰｉの動き成分である高空間周波数動き成分ＨＭＰｉの画素値ＨＭＰｉ（ｘ，ｙ）を反転して反転高空間周波数成分ＲＨＭＰｉを得て出力する。この処理は、第２実施形態の反転部２０４４が行う処理の「高空間周波数成分ＨＹｉ」を「高空間周波数成分ＨＰｉ」に置換したものである。すなわち、反転部２０４４”は、第１実施形態の変形例２で説明したように高空間周波数成分ＨＰｉの画素値ＨＰｉ（ｘ，ｙ）を反転して反転高空間周波数成分ＲＨＰｉを得、さらに「高空間周波数成分ＨＹｉ」に代えて「高空間周波数成分ＨＰｉ」ついて重みｎＶｉ（ｘ，ｙ）を得、以下のように反転高空間周波数成分ＲＨＭＰｉを得て出力する。
ＲＨＭＰｉ（ｘ，ｙ）：＝ＲＨＰｉ（ｘ，ｙ）×ｎＶｉ（ｘ，ｙ）＋ＨＰｉ（ｘ，ｙ）×（１−ｎＶｉ（ｘ，ｙ））
ただし、反転輝度成分ＲＨＭＰｉは、座標（ｘ，ｙ）の画素値ＲＨＭＰｉ（ｘ，ｙ）を要素とする二次元配列である。ＲＨＰｉ（ｘ，ｙ）×ｎＶｉ（ｘ，ｙ）は、高空間周波数成分ＨＰｉの動き成分である高空間周波数動き成分ＨＭＰｉの画素値ＨＭＰｉ（ｘ，ｙ）を反転したものである。
【００６９】
各第ｉフレーム（ただし、ｉ＝１，２）の低空間周波数成分ＬＰｉ、および反転高空間周波数成分ＲＨＭＰｉは合成部１０４５”に入力される。合成部１０４５”は、低空間周波数成分ＬＰ１、および反転高空間周波数成分ＲＨＭＰ１を足し合わせたものを第３フレームの画像Ｐ３として得て出力する（Ｐ３＝ＬＰ１＋ＲＨＭＰ１）。また合成部１０４５”は、低空間周波数成分ＬＰ２、および反転高空間周波数成分ＲＨＭＰ２を足し合わせたものを第４フレームの画像Ｐ４として得て出力する（Ｐ４＝ＬＰ２＋ＲＨＭＰ２）。
【００７０】
以降の処理は第２実施形態と同じである。これによっても、ちらつきの少ない連続した動きを観察者に与える映像ＭＯＵＴを生成できる。
【００７１】
［第２実施形態の変形例３］
第２実施形態では、画像Ｐ１およびＰ２における輝度成分の高空間周波数成分の動き成分を反転させたものを画像Ｐ３およびＰ４とした。しかし、画像Ｐ１およびＰ２全体の動き成分を反転させたものを画像Ｐ３およびＰ４としてもよい。
【００７２】
＜構成＞
図７に例示するように、本変形例の映像生成装置２’’’は、入力部１０１、記憶部１０２、画像抽出部１０３、画像生成部２０４’’’、および映像構成部１０５を有する。画像生成部２０４’’’は反転部２０４４’’’を有する。
【００７３】
＜処理＞
第２実施形態との相違点は、前述した≪画像生成部２０４の処理≫に代えて、以下の≪画像生成部２０４’’’の処理≫が実行される点である。この相違点のみを説明する。
【００７４】
≪画像生成部２０４’’’の処理≫
画像生成部２０４’’’は、画像Ｐ１に含まれた「一部の成分」である動き成分を反転させて画像Ｐ３を得、画像Ｐ２に含まれた「一部の成分」である動き成分を反転させて画像Ｐ４を得る。
【００７５】
各第ｉフレーム（ただし、ｉ＝１，２）の画像Ｐｉは反転部２０４４’’’に入力される。反転部２０４４’’’は、入力された画像Ｐｉの動き成分である画像動き成分ＭＰｉの画素値ＭＰｉ（ｘ，ｙ）を反転して反転画像成分ＲＭＰｉを得て出力する。この処理は、第２実施形態の反転部２０４４が行う処理の「高空間周波数成分ＨＹｉ」を「画像Ｐｉ」に置換したものである。すなわち、まず、反転部２０４４’’’は、「高空間周波数成分ＨＹｉ」の画素値ＨＹｉ（ｘ，ｙ）に代えて「画像Ｐｉ」の画素値Ｐｉ（ｘ，ｙ）を反転して反転画像成分ＲＰｉを得、さらに「高空間周波数成分ＨＹｉ」に代えて「画像Ｐｉ」ついて重みｎＶｉ（ｘ，ｙ）を得、以下のように反転画像成分ＲＭＰｉを得て出力する。
ＲＭＰｉ（ｘ，ｙ）：＝ＲＰｉ（ｘ，ｙ）×ｎＶｉ（ｘ，ｙ）＋Ｐｉ（ｘ，ｙ）×（１−ｎＶｉ（ｘ，ｙ））
ただし、反転画像成分ＲＭＰｉは、座標（ｘ，ｙ）の画素値ＲＭＰｉ（ｘ，ｙ）を要素とする二次元配列である。ＲＰｉ（ｘ，ｙ）×ｎＶｉ（ｘ，ｙ）は、画像Ｐｉの動き成分である画像動き成分ＭＰｉの画素値ＭＰｉ（ｘ，ｙ）を反転したものである。画像生成部２０４’’’は、ＲＭＰ１（ｘ，ｙ）を第３フレームの画像Ｐ３として出力し、ＲＭＰ２（ｘ，ｙ）を第４フレームの画像Ｐ４として出力する。
【００７６】
以降の処理は第２実施形態と同じである。これによっても、ちらつきの少ない連続した動きを観察者に与える映像ＭＯＵＴを生成できる。
【００７７】
［第３実施形態］
第１，２実施形態およびそれらの変形例では、４フレームの画像Ｐ１，Ｐ２，Ｐ３，Ｐ４からなる映像ＭＯＵＴを生成した。しかし、これらと同様な手法を用い、６フレーム以上の映像ＭＯＵＴを生成してもよい。すなわち、ｎが４以上の偶数であり、複数の「第１画像」が時系列に沿った第１フレームの画像Ｐ１から第ｎ／２フレームの画像Ｐ（ｎ／２）を含み、複数の「第２画像」が時系列に沿った第｛（ｎ／２）＋１｝フレームの画像Ｐ｛（ｎ／２）＋１｝から第ｎフレームの画像Ｐｎを含み、第ｉフレームの画像Ｐｉ（ただし、ｉは１以上ｎ／２以下の整数）に含まれた一部の成分を反転させて第｛（ｎ／２）＋ｉ｝フレームの画像Ｐ｛（ｎ／２）＋ｉ｝を得、ｎフレームの画像Ｐ１，…，Ｐｎからなる映像ＭＯＵＴを生成するものであればよい。第１，２実施形態およびそれらの変形例はｎ＝４の例であったが、ｎが６以上の整数であってもよい。第３実施形態では第１実施形態をｎ≧４に一般化する。
【００７８】
＜構成＞
図１に例示するように、本形態の映像生成装置３は、入力部１０１、記憶部１０２、画像抽出部３０３、画像生成部１０４、および映像構成部３０５を有する。
【００７９】
＜処理＞
本形態の処理を説明する。
≪入力映像ＭＩＮの入力≫
映像生成装置１（図１）の入力部１０１に、ｎ／２個以上のフレーム（映像フレーム）から構成される任意の入力映像ＭＩＮが入力される。本形態の入力映像ＭＩＮは色成分を含む色映像である。
【００８０】
≪画像抽出部３０３の処理≫
画像抽出部３０３は、記憶部１０２から読み出した入力映像ＭＩＮから連続するｎ／２フレームの画像を取り出し、それぞれを第ｉフレーム（ただし、ｉ＝１，…，ｎ／２）の画像Ｐｉ（第１画像）として出力する。第（ｊ＋１）フレームは時間的に第ｊフレームの後に続くフレームである（ただし、ｊ＋１，ｊ∈｛１，…，ｎ／２｝）。なお、第１フレームの画像Ｐ１から第ｎ／２フレームの画像Ｐｎ／２を時系列に並べて得られる部分映像Ｍｐ＝｛Ｐ１，…，Ｐｎ／２｝は、略直線方向に移動する物体の動きを表すものであることが望ましい。すなわち、部分映像Ｍｐ内の局所的な運動方向がほぼ一定（局所的な運動方向が複数フレーム間で変わらずにほぼ単一の方向性をもつ状態）であることが望ましい。
【００８１】
≪画像生成部１０４の処理≫
画像生成部１０４は、第ｉフレームの画像Ｐｉ（ただし、ｉ＝１，…，ｎ／２）に含まれた一部の成分を反転させて第｛（ｎ／２）＋ｉ｝フレームの画像Ｐ｛（ｎ／２）＋ｉ｝を得て出力する。第１実施形態ではｎ＝４としてこの処理を行った。本形態はこれを４以上の偶数ｎに一般化するものに過ぎない。画像生成部１０４は、各第｛（ｎ／２）＋ｉ｝フレーム（ただし、ｉ＝１，…，ｎ／２）の画像Ｐ｛（ｎ／２）＋ｉ｝を出力する。
【００８２】
≪映像構成部３０５の処理≫
映像構成部３０５は、第１，…，ｎフレームの画像Ｐ１，…，Ｐｎを入力とし、画像Ｐ１，…，Ｐｎを時間的に並べることでこれらを含む映像ＭＯＵＴを得て出力する。なお、各第ｉフレーム（ただし、ｉ＝１，…，ｎ）の画像Ｐｉの提示時間は、映像ＭＯＵＴが静止画の系列ではなく動画像として認識可能なように調整される。この範囲であればフレームレートは固定であっても可変であってもよい。
【００８３】
以上のように得られた映像ＭＯＵＴは映像提示装置１５０に入力され、映像提示装置は映像ＭＯＵＴを繰り返し再生する。すなわち、映像提示装置１５０は、第１時間区間で複数の画像Ｐ１，…，Ｐｎ／２（第１画像）を提示する処理と、第１時間区間の後に続く第２時間区間で複数の画像Ｐ（ｎ／２）＋１，…，Ｐｎ（複数の第１画像のそれぞれに含まれた一部の成分を反転させた第２画像）を提示する処理と、を繰り返す。つまり映像提示装置１５０は以下の処理を行う。
ステップＳ１：映像提示装置１５０は画像Ｐ１を再生し、ステップＳ２に進む。
ステップＳ２：映像提示装置１５０は画像Ｐ２を再生し、ステップＳ３に進む。
・・・
ステップＳｉ：映像提示装置１５０は画像Ｐｉを再生し、ステップＳ１に進む。
これにより、再生された映像ＭＯＵＴを見た観察者は、ちらつきの少ない継続的な動きを知覚する。
【００８４】
［第３実施形態の変形例１］
第１実施形態の変形例１，２、第２実施形態、および第２実施形態１〜３をｎ≧４に一般化する場合（図１，５，６，７）、映像生成装置３が画像生成部１０４に代えて、それぞれ画像生成部１０４’，１０４”，２０４，２０４’，２０４”，２０４’’’を備え、画像生成部１０４’，１０４”，２０４，２０４’，２０４”，２０４’’’のそれぞれが、第ｉフレームの画像Ｐｉ（ただし、ｉ＝１，…，ｎ／２）に含まれた一部の成分を反転させて第｛（ｎ／２）＋ｉ｝フレームの画像Ｐ｛（ｎ／２）＋ｉ｝を得て出力すればよい。第１実施形態の変形例１，２、第２実施形態、および第２実施形態１〜３ではｎ＝４としてこの処理を行ったが、本変形例はこれを４以上の偶数ｎに一般化するものに過ぎない。画像生成部１０４’，１０４”，２０４，２０４’，２０４”，２０４’’’は、各第｛（ｎ／２）＋ｉ｝フレーム（ただし、ｉ＝１，…，ｎ／２）の画像Ｐ｛（ｎ／２）＋ｉ｝を出力する。その他は第３実施形態と同じである。
【００８５】
［第４実施形態］
止まっている対象に動きが与えられているように知覚させるために、当該対象に与えられる動きに対応する輝度運動成分を含む映像を当該対象に重畳する技術が知られている（例えば、国際公開第ＷＯ／２０１５／１６３３１７号等参照）。この技術を上述した各実施形態またはその変形例に適用し、止まっている対象が継続的に動いているように知覚させる映像を生成してもよい。
【００８６】
＜構成＞
図８に例示するように、本形態の映像生成装置４４０は、対象画像生成部４４１、記憶部４４２、画像処理部４４４、映像構成部４４５、および反転部４０４を有する。対象画像生成部４４１はカメラなどの撮影装置４２０に接続され、映像構成部４４５は投影装置などの重畳装置４３０に接続されている。画像処理部４４４および反転部４０４によって「画像生成部」が構成される。
【００８７】
＜処理＞
まず、止まっている対象４１０を準備する。対象４１０は、立体的形状を備える物（例えば、花瓶、ボール、模型）であってもよいし、所定の平面（例えば、紙、ボード、壁、スクリーン）であってもよい。
【００８８】
≪撮影および対象画像の抽出（ステップＳ４１）≫
撮影装置４２０は対象４１０を撮影し、それによって得られた静止画像ＰＩＮは対象画像生成部４４１に送られる。対象画像生成部４４１は、入力された静止画像ＰＩＮから輝度成分Ｙを抽出し、さらに輝度成分Ｙに高域通過型フィルタＨＦを適用して高空間周波数成分ＨＹ１（対象画像）を得て出力する（ＨＹ１＝ＨＦ・Ｙ）。高空間周波数成分ＨＹ１は記憶部４４２に格納される。高空間周波数成分ＨＹ１は座標（ｘ，ｙ）の画素値ＨＹ１（ｘ，ｙ）からなる二次元配列である。
【００８９】
≪第１フレームの画像Ｐ１の重畳（ステップＳ４２）≫
高空間周波数成分ＨＹ１は、第１フレームの画像Ｐ１（第１時間区間に属する第１画像）として映像構成部４４５に送られる。映像構成部４４５は画像Ｐ１を映像ＭＯＵＴの第１フレームの画像として重畳装置４３０に出力する。重畳装置４３０は画像Ｐ１を対象４１０に投影して重畳する。なお、ステップＳ４２の処理が省略されてもよい。すなわち、映像ＭＯＵＴは画像Ｐ１を含まなくてもよい。
【００９０】
≪画像処理部４４４の処理（ステップＳ４３）≫
画像処理部４４４は、画像Ｐ１（対象画像）を入力とし、画像Ｐ１を変形および／または動かした画像Ｐ２，…，Ｐｎ／２（処理画像）を得て出力する。ただし、ｎは４以上の偶数である。画像Ｐ１をどのように変形および／または動かして画像Ｐ２，…，Ｐｎ／２を得るかについての限定はない。ただし、ｎが６以上の場合、第１フレームの画像Ｐ１から第ｎ／２フレームの画像Ｐｎ／２を時系列に並べて得られる部分映像Ｍｐ＝｛Ｐ１，…，Ｐｎ／２｝が、略直線方向に移動する物体の動きを表すものであることが望ましい。
【００９１】
≪第２から第ｎ／２フレームの画像Ｐ２，…，Ｐｎ／２の重畳（ステップＳ４４）≫
画像Ｐ２，…，Ｐｎ／２（第１画像）は第２から第ｎ／２フレームの画像（第１時間区間に属する第１画像）として映像構成部４４５に送られる。映像構成部４４５は、画像Ｐ２，…，Ｐｎ／２のそれぞれを映像ＭＯＵＴの第２から第ｎ／２フレームの画像として重畳装置４３０に出力する。重畳装置４３０は画像Ｐ２，…，Ｐｎ／２のそれぞれを時間順に対象４１０に投影して重畳する。
【００９２】
≪反転部４０４の処理（ステップＳ４５）≫
反転部４０４は、画像Ｐ１を入力とし、画像Ｐ１を反転させつつ強度を高めた画像を第｛（ｎ／２）＋１｝フレームの画像Ｐ｛（ｎ／２）＋１｝（第２時間区間に属する第２画像）として得て出力する。画像Ｐ｛（ｎ／２）＋１｝は、対象４１０（静止画像ＰＩＮ）に含まれた一部の成分（対象４１０の静止画像ＰＩＮに含まれた輝度成分の高空間周波数成分）を反転させつつ強度を高めた画像である。
【００９３】
≪第｛（ｎ／２）＋１｝フレームの画像Ｐ｛（ｎ／２）＋１｝の重畳（ステップＳ４４）≫
画像Ｐ｛（ｎ／２）＋１｝は第｛（ｎ／２）＋１｝フレームの画像（第２時間区間に属する第２画像）として映像構成部４４５に送られる。映像構成部４４５は、画像Ｐ｛（ｎ／２）＋１｝を映像ＭＯＵＴの第｛（ｎ／２）＋１｝フレームの画像として重畳装置４３０に出力する。重畳装置４３０は画像Ｐ｛（ｎ／２）＋１｝を対象４１０に投影して重畳する。画像Ｐ｛（ｎ／２）＋１｝は、対象４１０に含まれた一部の成分を反転させつつ強度を高めた画像である。そのため、対象４１０に画像Ｐ｛（ｎ／２）＋１｝が重畳された様子を見た観察者は、対象４１０の輝度成分の高空間周波数成分を打ち消しつつ、その輝度成分の高空間周波数成分が反転された印象を受ける。
【００９４】
≪画像処理部４４４の処理（ステップＳ４５）≫
画像処理部４４４は、画像Ｐ｛（ｎ／２）＋１｝を入力とし、画像Ｐ｛（ｎ／２）＋１｝を変形および／または動かした画像Ｐ｛（ｎ／２）＋２｝，…，Ｐｎ（第２時間区間に属する第２画像）を得て出力する。画像Ｐ｛（ｎ／２）＋１｝を変形および／または動かして画像Ｐ｛（ｎ／２）＋２｝，…，Ｐｎを得る方法は、画像Ｐ１を変形および／または動かして画像Ｐ２，…，Ｐｎ／２を得る方法と同一である。画像Ｐ｛（ｎ／２）＋２｝，…，Ｐｎは、対象４１０（静止画像ＰＩＮ）を変形および／または動かした画像に含まれた一部の成分（対象４１０の静止画像ＰＩＮに含まれた輝度成分の高空間周波数成分）を反転させつつ強度を高めた画像である。
【００９５】
≪第｛（ｎ／２）＋２｝から第ｎフレームの画像Ｐ｛（ｎ／２）＋２｝，…，Ｐｎの重畳（ステップＳ４６）≫
画像Ｐ｛（ｎ／２）＋２｝，…，Ｐｎは第｛（ｎ／２）＋２｝から第ｎフレームの画像Ｐ｛（ｎ／２）＋２｝，…，Ｐｎ（第２時間区間に属する第２画像）として映像構成部４４５に送られる。映像構成部４４５は、画像Ｐ｛（ｎ／２）＋２｝，…，Ｐｎのそれぞれを映像ＭＯＵＴの第｛（ｎ／２）＋２｝から第ｎフレームの画像として重畳装置４３０に出力する。重畳装置４３０は画像Ｐ｛（ｎ／２）＋２｝，…，Ｐｎのそれぞれを時間順に対象４１０に投影して重畳する。画像Ｐ｛（ｎ／２）＋２｝，…，Ｐｎは、対象４１０を変形および／または動かした画像に含まれた一部の成分を反転させつつ強度を高めた画像である。そのため、対象４１０に画像Ｐ｛（ｎ／２）＋２｝，…，Ｐｎが重畳された様子を見た観察者は、対象４１０の輝度成分の高空間周波数成分を打ち消しつつ、その輝度成分の高空間周波数成分が反転された印象を受ける。
【００９６】
以上のように得られる映像ＭＯＵＴは主に輝度運動成分を含む。上述のステップＳ４１からＳ４６の処理またはステップＳ４２からＳ４６の処理が繰り返されることで対象４１０に映像ＭＯＵＴが重畳させる様子を見た観察者は、実際には動いていない対象４１０が継続的に動いているように知覚する。
【００９７】
［第４実施形態の変形例１］
第４実施形態では、静止画像ＰＩＮから抽出された輝度成分Ｙに高域通過型フィルタＨＦを適用して得られた高空間周波数成分ＨＹ１を画像Ｐ１（対象画像）とした。しかし、静止画像ＰＩＮそのものを画像Ｐ１（対象画像）としてもよいし、静止画像ＰＩＮから抽出された輝度成分Ｙを画像Ｐ１（対象画像）としてもよい。
【００９８】
［第４実施形態の変形例２］
ステップＳ４５に代えて、反転部４０４が、画像Ｐ１，…，Ｐｎ／２を入力とし、画像Ｐ１，…，Ｐｎ／２のそれぞれを反転させつつ強度を高めた画像を、第｛（ｎ／２）＋１｝から第ｎフレームの画像Ｐ｛（ｎ／２）＋１｝，…，Ｐｎ（第２時間区間に属する第２画像）として得て出力してもよい。これにより、ステップＳ４５の処理を省略できる。この場合、反転部４０４が、画像Ｐ１，…，Ｐｎ／２の動き成分のそれぞれを反転させつつ強度を高めた画像を、第｛（ｎ／２）＋１｝から第ｎフレームの画像Ｐ｛（ｎ／２）＋１｝，…，Ｐｎ（第２時間区間に属する第２画像）として得て出力してもよい。
【００９９】
［第４実施形態の変形例３］
映像ＭＯＵＴを対象４１０に重畳する方法にも限定はない。例えば、対象４１０と観察者との間に配置された透明ディスプレイに映像ＭＯＵＴが表示され、観察者が透明ディスプレイに表示された映像ＭＯＵＴ越しに対象４１０を見ることで、映像ＭＯＵＴが対象４１０に重畳されてもよい。上記では入力映像ＭＩＮが色映像である例を示したが、各実施形態およびその変形例において入力映像ＭＩＮが輝度成分を含む白黒映像（動画）やモノトーン映像（動画）であってもよい。上記では動画である入力映像ＭＩＮから画像Ｐ１，…，Ｐｎ（第１時間区間に属する複数の第１画像）を抽出したが、第１〜３実施形態およびそれらの変形例において、静止画像に任意の動き（少なくとも、輝度成分の動き）を与えて画像Ｐ１，…，Ｐｎを得てもよい。
【０１００】
［その他の変形例等］
なお、本発明は上述の実施の形態に限定されるものではない。例えば、第２画像が上述した以外の成分を含んでいてもよい。各装置を構成する処理部がネットワーク上に分散配置され、それらが協働して上述の処理が実現されてもよい。上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【０１０１】
上記の各装置は、例えば、ＣＰＵ（central processing unit）等のプロセッサ（ハードウェア・プロセッサ）およびＲＡＭ（random-access memory）・ＲＯＭ（read-only memory）等のメモリ等を備える汎用または専用のコンピュータが所定のプログラムを実行することで構成される。このコンピュータは１個のプロセッサやメモリを備えていてもよいし、複数個のプロセッサやメモリを備えていてもよい。このプログラムはコンピュータにインストールされてもよいし、予めＲＯＭ等に記録されていてもよい。また、ＣＰＵのようにプログラムが読み込まれることで機能構成を実現する電子回路（circuitry）ではなく、プログラムを用いることなく処理機能を実現する電子回路を用いて一部またはすべての処理部が構成されてもよい。１個の装置を構成する電子回路が複数のＣＰＵを含んでいてもよい。
【０１０２】
上述の構成をコンピュータによって実現する場合、各装置が有すべき機能の処理内容はプログラムによって記述される。このプログラムをコンピュータで実行することにより、上記処理機能がコンピュータ上で実現される。この処理内容を記述したプログラムは、コンピュータで読み取り可能な記録媒体に記録しておくことができる。コンピュータで読み取り可能な記録媒体の例は、非一時的な（non-transitory）記録媒体である。このような記録媒体の例は、磁気記録装置、光ディスク、光磁気記録媒体、半導体メモリ等である。
【０１０３】
このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【０１０４】
このようなプログラムを実行するコンピュータは、例えば、まず、可搬型記録媒体に記録されたプログラムもしくはサーバコンピュータから転送されたプログラムを、一旦、自己の記憶装置に格納する。処理の実行時、このコンピュータは、自己の記憶装置に格納されたプログラムを読み取り、読み取ったプログラムに従った処理を実行する。このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。
【０１０５】
上記実施形態では、コンピュータ上で所定のプログラムを実行させて本装置の処理機能が実現されたが、これらの処理機能の少なくとも一部がハードウェアで実現されてもよい。
【符号の説明】
【０１０６】
１，１’，１”，２，２’，２”，２’’’，３，３’，３”，３’’’  映像生成装置
【図１】
2018180753.tif 000003
【図２】
2018180753.tif 000004
【図３】
2018180753.tif 000005
【図４】
2018180753.tif 000006
【図５】
2018180753.tif 000007
【図６】
2018180753.tif 000008
【図７】
2018180753.tif 000009
【図８】
2018180753.tif 000010
【図９】
2018180753.tif 000011